(57)【特許請求の範囲】
【請求項１】
それぞれ上方へ突出する結合用フランジを有する複数の区分型板を、その結合用フランジを介して結合することにより、機械室の床に形成された機器搬入用穴を塞ぐように設置され、前記各区分型板の所定の位置に芯出しの基準となるピアノ線を通すための小孔が前記結合用フランジを挟んで対をなすよう設けられているエレベータ用型板において、前記対をなす小孔を結ぶ直線上に位置する前記結合用フランジ部分に開口を設けたことを特徴とするエレベータ用型板。
【請求項２】
前述した型板は、３分割した区分型板からなることを特徴とする請求項１記載のエレベータ用型板。
【発明の詳細な説明】
【０００１】
【産業上の利用分野】
本発明は、機械室の床に形成された機器搬入用穴を塞ぐように設置されるエレベータ用型板に関する。
【０００２】
【従来の技術】
機械室の床に形成された機器搬入用穴を塞ぐとともに、昇降路内機器の据付け芯出し時に用いられるエレベータ型板として、例えば特開昭５３−２３４４７号公報に記載されているように、２つに分割される型板を前記機械室に持ち込んだ後、それぞれの型板を継ぎ板を介して溶接等により結合するようになっていた。
【０００３】
【発明が解決しようとする課題】
ところで前述した従来のエレベータ用型板にあっては、機械室に型板を設置するのはエレベータの据付け作業の開始当初であり、溶接機を利用できない場合があるうえ、分割されている２つの型板には、芯出しの基準となるピアノ線用小孔がそれぞれ設けられており、これらの小孔のうちの対となるもの同志をあわせる際の作業が面倒であるとともに、精度を維持することができない場合があるという不都合がある。すなわち、従来、それぞれの型板を建物の基準芯に個別にあわせるようになっているため、型板が２分割のものの場合、２度芯合わせを行なう必要があるとともに、各型板同志の相対位置が合致するとは限らず、必要な結合精度が得られないことがある。
【０００４】
本発明は上述した問題に鑑みてなされたもので、その目的は、型板の結合作業を簡便に行なうことができるとともに、各型板の高い結合精度を得ることができるエレベータ用型板を提供することにある。
【０００５】
【課題を解決するための手段】
この目的を達成するため、それぞれ上方へ突出する結合用フランジを有する複数の区分型板を、その結合用フランジを介して結合することにより、機械室の床に形成された機器搬入用穴を塞ぐように設置され、前記各区分型板の所定の位置に芯出しの基準となるピアノ線を通すための小孔が前記結合用フランジを挟んで対をなすよう設けられているエレベータ用型板において、前記対をなす小孔を結ぶ直線上に位置する前記結合用フランジ部分に開口を設けた構成にしてある。
【０００６】
【作用】
本発明のエレベータ用型板は、前記のように構成したので、機械室の床の機器搬入用穴を塞ぐ場合、複数の区分型板を所定位置に配置した後、これらの区分型板に備えられる結合用フランジをそれぞれ対向させるとともに、これらの結合用フランジを互いに結合手段により結合する。これにより、溶接機等の特別な機器を要することなく区分型板の結合作業を簡便に行なうことができる。
本発明のエレベータ用型板は、こうしたエレベータ用型板において、特に、対をなす小孔を結ぶ直線上に位置する前記結合用フランジ部分に開口を設けているので、結合用フランジを結合する際に区分型板同士を位置合わせする場合、前記開口に直線定規を水平方向に通して、隣接する区分型板間にまたがるように位置決めした後、この直線定規を基準にして、対をなす小孔同士のそれぞれが直線定規と同じ方向の直線上に位置するように、前記隣接するの区分型板の一方を他方の区分型板に対して移動させることにより区分型板を位置合わせすることができる。このように、本発明のエレベータ用型板は、開口に通した直線定規を基準にして、各区分型板間の相対位置関係を確認することができるため、区分型板同士の位置合わせが容易となり、各区分型板の高い結合精度を得ることができる。
【０００７】
【実施例】
以下、本発明のエレベータ用型板の実施例を図に基づいて説明する。
図１は本発明のエレベータ用型板の請求項１、２に記載の発明を含む一実施例を示す平面図、図２は図１のエレベータ用型板の要部を示す斜視図、図３は図１のエレベータ用型板の縦断面図である。
【０００８】
一般にエレベータは、図１および図３に示すように、建物の上下方向へ延設される昇降路１と、昇降路１の最上部に設けられる機械室２と、機械室２の床２ａに形成される機器搬入用穴３と、この機器搬入用穴３を塞ぐように設置され、ガイドレールや出入口部品の据付けの際の芯出し基準となるピアノ線４を通すための３対の小孔５，５、６，６、７，７が設けられているエレベータ用型板８と、エレベータ用型板８に形成され、図示しない主ロープが挿通される主ロープ用開口９とを有している。
【０００９】
そして、本実施例のエレベータ用型板８は、縁を直角に曲げることにより形成された結合用フランジ８ａｆ、８ｂｆ、８ｃｆが備えられる区分型板８ａ、８ｂ、８ｃに３分割するとともに、図２に示すようにこれらの結合用フランジ８ａｆと結合用フランジ８ｂｆ、結合用フランジ８ｂｆと結合用フランジ８ｃｆを互いに結合する結合手段、例えば着脱可能なボルト９ａおよび図示しないナットと、それぞれの対をなす小孔５，５、６，６、７，７同士を結ぶ線上、すなわち、けがき線１０、１１、１２へ対応する結合フランジ８ａｆ、８ｂｆ、８ｃｆ部分に形成される図３に示すような形状の開口１３とを設けている。ここでは、こうした開口１３は、結合用フランジ８ａｆ、８ｂｆ、８ｃｆを形成する前の平板状のときに穴あけ作業をすることにより形成している。すなわち、各区分型板８ａ、８ｂ、８ｃにおいて、各結合フランジ８ａｆ、８ｂｆ、８ｃｆを形成する端部付近に穴をあけた後、その端部付近を、折り目が穴を横切るようにほぼ直角に折り曲げて結合フランジ８ａｆ、８ｂｆ、８ｃｆを形成することにより、図３に示すような円弧状の輪郭を有する開口１３、すなわち直線定規を水平方向に通すことができるような空間を各結合フランジ８ａｆ、８ｂｆ、８ｃｆ部分にそれぞれ形成している。
【００１０】
この実施例にあっては、分割された状態の各区分型板８ａ、８ｂ、８ｃを機械室２に搬入し、機器搬入用穴３を塞ぐような形で並べる。次ぎに、隣接する結合用フランジ８ａｆと結合用フランジ８ｂｆ、そして、結合用フランジ８ｂｆと結合用フランジ８ｃｆとの間に、ボルト９ａおよびナットを装着するとともに、これらのボルト９ａおよびナットの１、２個を軽く締め付けて隣接する区分型板８ａ、８ｂ、８ｃ同志を仮固定する。この後、各結合フランジ８ａｆ、８ｂｆ、８ｃｆ部分に形成した前記の開口１３に直線定規を水平方向に適宜通して、隣接する区分型板間にまたがるように所定方向に位置決めする。次いで、この直線定規を基準にして、対をなす小孔５，５、６，６、７，７同士のそれぞれが直線定規と同じ方向の直線上に位置するように、換言すると、けがき線１０、１１、１２のそれぞれが一直線となるように、いずれかの区分型板を他の区分型板に対して適宜移動させ、次いで、各ボルト９ａおよびナットを締め付ける。このようにして、各区分型板８ａ、８ｂ、８ｃを一体として所定の大きさの型板８とし、この型板８を昇降路１に対して所定の位置となるように、例えばけがき線１２上の小孔７に通したピアノ線４を基準として型板８を床２ａに固定するようになっている。
【００１１】
このように構成した実施例では、区分型板８ａ、８ｂ、８ｃ同志を結合手段、すなわちボルト９ａおよびナットにより結合することができるため、溶接機等の特別な機器を要することなく結合作業を簡便に行なうことができる。また、開口１３に定規を通し、区分型板８ａ、８ｂ、８ｃ間の相対位置関係の確認ができるため、区分型板８ａ、８ｂ、８ｃの位置合わせが容易となり、各区分型板８ａ、８ｂ、８ｃの高い結合精度を得ることができる。さらに、区分型板８ａ、８ｂ、８ｃを３分割としたので、持ち運びが容易となるとともに、それぞれの縁を折り曲げて結合用フランジ８ａｆ、８ｂｆ、８ｃｆを形成したので、区分型板８ａ、８ｂ、８ｃおよびこれらが一体となった型板８の剛性を高めることができ、したがって、機器搬入用穴３を恒久的に塞ぐための床板として兼用することができ、かつ、型板の重さを従来の３．２ｔから１．６ｔへと半減することができる。開口１３は結合用フランジ８ａｆ、８ｂｆ、８ｃｆを形成する前の平板状のときに穴あけ作業がなされることによって、開口１３の作成作業をより容易なものとすることができる。
【００１２】
【発明の効果】
以上の説明から明らかなように、本発明のエレベータ用型板は、「課題を解決するための手段」の項に示した構成、特に「対をなす小孔を結ぶ直線上に位置する結合用フランジ部分に開口を設けた」構成を採用しているので、各区分型板の高い結合精度を得ることができ、したがって、質の高いエレベータの据付けを行なうことができる。こうした基本的な効果を奏することに加え、本発明のエレベータ用型板は、前提となる構成として、「それぞれ上方へ突出する結合用フランジを有する複数の区分型板を、その結合用フランジを介して結合する」構成を採用しているので、各区分型板同志の結合作業に溶接機等の特別な機器を要することなく簡便に行なうことができ、これによって、作業の能率を向上することができる。本発明のエレベータ用型板を具体化する場合、特に、請求項２に記載のように具体化すれば、型板を３分割としたので、持ち運びが容易となるとともに、それぞれの区分型板に結合用フランジが形成されることから型板の剛性を高めることができ、したがって、機器搬入用穴を恒久的に塞ぐための床板として兼用することができ、かつ、型板の重さを従来のもの比べて半減することができる。
【図面の簡単な説明】
【図１】本発明のエレベータ用型板の請求項１、２に記載の発明を含む一実施例を示す平面図である。
【図２】図１のエレベータ用型板要部を示す斜視図である。
【図３】図１のエレベータ用型板の縦断面図である。
【符号の説明】
１  昇降路
２  機械室
３  機器搬入用穴
４  ピアノ線
５、６、７  小孔
８  エレベータ用型板
８ａ、８ｂ、８ｃ  区分型板
８ａｆ、８ｂｆ、８ｃｆ  結合用フランジ
９ａ  ボルト
１３  開口
【図１】
0003630442.tif 000002
【図２】
0003630442.tif 000003
【図３】
0003630442.tif 000004